(57)【要約】  本発明は、少なくとも下記を有する、ヘッドアップディスプレイ（ＨＵＤ）用の投影設備に関する：  −  熱可塑性中間層（３）を介して互いに結合している外側ペイン（１）及び内側ペイン（２）を含み、上方端部（Ｏ）及び下方端部（Ｕ）並びにＨＵＤ領域（Ｂ）を有している、複合ペイン（１０）；  −  外側ペイン（１）又は内側ペインの、中間層（３）に面している表面（ＩＩ、ＩＩＩ）の上にある、又は、中間層（３）の中に提供されている、電気伝導性コーティング（２０）；並びに  −  ＨＵＤ領域（Ｂ）に向けられている、投影器（４）；ここで、投影器（４）の光が、少なくとも１つのｐ偏光成分を有しており、かつ、ここで、電気伝導性コーティング（２０）が、４００ｎｍ〜６５０ｎｍのスペクトル範囲において、ｐ偏光に関して、単一の局所的な反射極大のみを有しており、この極大が、５１０ｎｍ〜５５０ｎｍの範囲にある。【選択図】図１
2021508378.tif 000002
【特許請求の範囲】
【請求項１】
少なくとも下記を有する、ヘッドアップディスプレイ（ＨＵＤ）用の投影設備：
−  熱可塑性中間層（３）を介して互いに結合している外側ペイン（１）及び内側ペイン（２）を含み、上方端部（Ｏ）及び下方端部（Ｕ）並びにＨＵＤ領域（Ｂ）を有している、複合ペイン（１０）；
−  前記外側ペイン（１）若しくは前記内側ペインの、前記中間層（３）に面している表面（ＩＩ、ＩＩＩ）の上の、又は、前記中間層（３）の中の、電気伝導性コーティング（２０）；
並びに
−  前記ＨＵＤ領域（Ｂ）に向けられている、投影器（４）；
ここで、前記投影器（４）の光が、少なくとも１つのｐ偏光成分を有しており、前記投影器（４）の合計の光におけるｐ偏光の割合が、２０％〜８０％であり、
かつ、
ここで、前記電気伝導性コーティング（２０）が、４００ｎｍ〜６５０ｎｍのスペクトル範囲において、ｐ偏光に関して、単一の局所的な反射極大のみを有しており、この極大が、５１０ｎｍ〜５５０ｎｍの範囲に位置している。
【請求項２】
４００ｎｍ〜６５０ｎｍのスペクトル範囲において、ｐ偏光に関して、局所的な反射極大の反射率と、極小で起こる反射率との間の差異が、最大で１０％、好ましくは最大で８％である、請求項１に記載の投影設備。
【請求項３】
４５０ｎｍ〜６００ｎｍのスペクトル範囲におけるｓ偏光に関する反射率が、実質的に一定であり、それにより、極大で起こる反射率と平均との間の差異、及び、極小で起こる反射率と平均との間の差異が、最大で５％、好ましくは最大で３％、特に好ましくは最大で１％である、請求項１又は２に記載の投影設備。
【請求項４】
前記投影器（４）の合計の光におけるｐ偏光の割合が、５０％〜８０％である、請求項１〜３のいずれか一項に記載の投影設備。
【請求項５】
前記電気伝導性コーティング（２０）が、少なくとも４つの電気伝導層（２１）を有しており、これらが、それぞれ、２つの誘電体層又は誘電体層配列の間に配置されている、請求項１〜４のいずれか一項に記載の投影設備。
【請求項６】
前記電気伝導層（２１）が、銀に基づいており、かつ、それぞれ、５ｎｍ〜１５ｎｍの層厚を有しており、すべての前記電気伝導層（２１）の合計の層厚が、２０ｎｍ〜５０ｎｍである、請求項５に記載の投影設備。
【請求項７】
それぞれの誘電体層配列が、反射防止層（２２）を有しており、下記である、請求項５又は６に記載の投影設備：
−  第１電気伝導層（２１．１）の下方の反射防止層（２２．１）が、１５ｎｍ〜２５ｎｍの厚みを有し、
−  第１と第２電気伝導層（２１．１、２１．２）の間の反射防止層（２２．２）が、２５ｎｍ〜３５ｎｍの厚みを有し、
−  第２と第３電気伝導層（２１．２、２１．３）の間の反射防止層（２２．３）が、４５ｎｍ〜５５ｎｍの厚みを有し、
−  第３と第４電気伝導層（２１．３、２１．４）の間の反射防止層（２２．４）が、１５ｎｍ〜２５ｎｍの厚みを有し、かつ、
−  第４電気伝導層（２１．４）の上方の反射防止層（２２．５）が、８ｎｍ〜１８ｎｍの厚みを有する。
【請求項８】
２つの前記電気伝導層（２１）の間に配置されているすべての前記反射防止層（２２．２、２２．３、２２．４）が、好ましくはケイ素窒化物に基づいている、２．１未満の屈折率を有する誘電体層（２２ａ）、及び、好ましくは混合ケイ素／金属窒化物、例えばケイ素−ジルコニウム窒化物又はケイ素−ハフニウム窒化物に基づいている、２．１以上の屈折率を有する光学的高屈折層（２２ｂ）に、分割されている、請求項５〜７のいずれか一項に記載の投影設備。
【請求項９】
前記中間層（３）の厚みが、少なくとも前記ＨＵＤ領域（Ｂ）において、前記上方端部（Ｏ）と前記下方端部（Ｕ）との間のその垂直経路において、くさび角度（α）を有して、種々の値であり、前記くさび角度が、好ましくは、前記内側ペイン（２）の内部側表面（ＩＶ）における反射と前記外側ペイン（１）の外部側表面（Ｉ）における反射とを重ね合わせるために、又は、これらの間の距離を少なくとも低減するために、適切に選択されている、請求項１〜８のいずれか一項に記載の投影設備。
【請求項１０】
反射防止コーティング（３０）が、前記内側ペイン（２）の、前記中間層（３）から離れて面している表面（ＩＶ）に適用されている、請求項１〜８のいずれか一項に記載の投影設備。
【請求項１１】
前記中間層（３）の厚みが、前記上方端部（Ｏ）と前記下方端部（Ｕ）との間の垂直経路において、実質的に一定である、請求項１０に記載の投影設備。
【請求項１２】
前記中間層（３）の厚みが、少なくとも前記ＨＵＤ領域（Ｂ）において、前記上方端部（Ｏ）と前記下方端部（Ｕ）との間のその垂直経路において、くさび角度（α）を有して、種々の値であり、前記くさび角度が、好ましくは、前記電気伝導性コーティング（２０）における反射と前記外側ペイン（１）の外部側表面（Ｉ）における反射とを重ね合わせるために、又は、これらの間の距離を少なくとも低減するために、適切に選択されている、請求項１０に記載の投影設備。
【請求項１３】
前記反射防止コーティング（３０）が、前記内側ペイン（２）から出発して、下記の層を有する、請求項１０〜１２のいずれか一項に記載の投影設備：
−  ケイ素窒化物に基づいており、１５ｎｍ〜２５ｎｍ、好ましくは１８ｎｍ〜２２ｎｍの厚みを有する、高屈折層（３１．１）、
−  二酸化ケイ素に基づいており、１５ｎｍ〜２５ｎｍ、好ましくは１８ｎｍ〜２２ｎｍの厚みを有する、低屈折層（３２．１）、
−  ケイ素窒化物に基づいており、９０ｎｍ〜１１０ｎｍ、好ましくは９５ｎｍ〜１０５ｎｍの厚みを有する、高屈折層（３１．２）、
−  二酸化ケイ素に基づいており、８０ｎｍ〜１００ｎｍ、好ましくは８５ｎｍ〜９５ｎｍの厚みを有する、低屈折層（３２．２）。
【請求項１４】
前記投影器（４）の光が、６０°〜７０°の入射角度で、前記複合ペイン（１０）に当たる、請求項１〜１３のいずれか一項に記載の投影設備。
【請求項１５】
熱可塑性中間層（３）を介して互いに結合している外側ペイン（１）及び内側ペイン（２）を含み、
上方端部（Ｏ）及び下方端部（Ｕ）並びにＨＵＤ領域（Ｂ）を有しており、かつ、
前記外側ペイン（１）若しくは前記内側ペイン（２）の、前記中間層（３）に面している表面（ＩＩ、ＩＩＩ）上にある、又は、前記中間層（３）の中に提供されている、電気伝導性コーティング（２０）を有している、
複合ペイン（１０）の、ヘッドアップディスプレイ（ＨＵＤ）用の投影設備の投影表面としての使用であって、
ここで、
投影器（４）が、前記ＨＵＤ領域（Ｂ）に向けられており、その光が、少なくとも１つのｐ偏光成分を有しており、かつ、
前記電気伝導性コーティング（２０）が、４００ｎｍ〜６５０ｎｍのスペクトル範囲において、ｐ偏光に関して、単一の局所的な反射極大のみを有しており、この極大が、５１０ｎｍ〜５５０ｎｍの範囲に位置している、
使用。
【発明の詳細な説明】
【技術分野】
【０００１】
本発明は、ヘッドアップディスプレイ用の投影設備、及び、そのような投影設備における複合ペインの使用、に関する。
【背景技術】
【０００２】
現代的な自動車は、益々、いわゆるヘッドアップディスプレイ（ＨＵＤ）を備えている。典型的にはダッシュボードの領域にある投影器によって、画像がウィンドシールドに投影され、そこで反射し、運転者によって、（運転者の視界から見て）ウィンドシールドの背後にある虚像として認識される。このようにして、重要なデータ、例えば、現在の運転速度、ナビケーション、又は警告メッセージを、ドライバーの視野に投影することができ、ドライバーは、これらのデータを、道路から視線をそらす必要なく、知覚することができる。このようにして、ヘッドアップディスプレイは、交通安全の向上に大いに貢献する。
【０００３】
上述のヘッドアップディスプレイでは、投影器画像がウィンドシールドの両方の表面において反射するという問題が生じる。したがって、運転者は、所望の、ウィンドシールドの内部側表面における反射（主反射）によって生じる主画像のみを知覚するわけではない。運転者は、ウィンドシールドの外部側表面における反射（二次的反射）によって生じる、大抵の場合比較的強度が低い、わずかにオフセットした二次的画像も、知覚する。後者は、慣用的に、ゴースト画像（「ゴースト」）として言及される。この問題は、慣用的には、反射表面を、意図的に選択された互いに対する角度で配置し、それにより主画像及びゴースト画像が重なり合い、その結果としてゴースト画像がもはや気を散らせるほどに認識可能ではないようにすることによって、解決される。
【０００４】
ウィンドシールドは、熱可塑性フィルムを介して互いに積層された２つのガラスペインを有する。ガラスペインの表面が上述したように角度をもって配置される場合には、一定でない厚みを有する熱可塑性フィルムが、慣用的に用いられる。これは、くさび形状フィルム又はくさびフィルムとしても言及される。フィルムの２つの表面の間の角度は、くさび角度として言及される。くさび角度は、フィルム全体にわたって一定（厚みにおける線形的な変化）であってよく、又は、位置の関数として変化してよい（厚みにおける非線形的な変化）。くさびフィルムを有する複合ガラスは、例えば、国際公開第２００９／０７１１３５号、欧州特許第１８００８５５号明細書、又は欧州特許公報第１８８０２４３号明細書から知られている。
【０００５】
透明電気伝導性コーティングを有するウィンドシールドを提供することも知られている。これらのコーティングは、ＩＲ反射コーティングとして機能して、乗り物内部の加熱を低減し、そのようにして、熱的な快適性を向上させる。しかしながら、コーティングは、電源に接続され、そのようにしてコーティングを通って電流が流れるようにされることによって、加熱可能コーティングとしても使用されることがある。適切なコーティングとしては、伝導性の金属層、例えば、銀又はアルミニウムに基づく伝導性の金属層が挙げられる。これらのコーティングは、腐食を受けやすいので、慣用的には、これらのコーティングを、外側ペイン又は内側ペインの、中間層に面する表面に適用し、それにより、これらのコーティングが周囲雰囲気と接触しないようにする。銀含有透明コーティングは、例えば、国際公開第０３／０２４１５５号、米国特許出願公開第２００７／００８２２１９号明細書、米国特許出願公開第２００７／００２０４６５号明細書、国際公開第２０１３／１０４４３８号、又は国際公開第２０１３／１０４４３９号から知られている。ヘッドアップディスプレイとの関連において、コーティングされたウィンドシールドは、多くの場合、投影画像のための追加的な反射境界表面が伝導性コーティングによって形成されてしまうという問題を、有する。これは、別の望ましくない二次的画像をもたらし、これは、層ゴースト画像又は層ゴーストとしても言及される。
【発明の概要】
【発明が解決しようとする課題】
【０００６】
ＨＵＤ投影器の光は、典型的には、ｐ偏光と比較してウィンドシールドの反射特性が比較的良好であることに起因して、実質的にｓ偏光である。しかしながら、運転者が、ｐ偏光のみを透過する偏光選択性サングラスを着けている場合には、運転者は、ＨＵＤ画像をほとんど見ることができず、又は全く見ることができない。結果として、偏光選択性サングラスに適合するＨＵＤ投影設備が必要とされる。
【０００７】
独国特許出願公開第１０２０１４２２０１８９号明細書は、ＨＵＤ画像を生成するためにｐ偏光で作動し、かつ偏光選択性サングラスでも知覚可能であるＨＵＤ投影設備を開示している。入射角は典型的にはブリュースター角度に近く、したがってｐ偏光はわずかだけガラス表面によって反射されるので、ウィンドシールドは、運転者の方向にｐ偏光を反射しうる反射構造を有している。とりわけ、例えば銀又はアルミニウムでできている５ｎｍ〜９ｎｍの厚みを有する単一の金属層が、反射構造として提案されている。偏光選択性サングラスをしていてもしていなくても、ｐ偏光ＨＵＤ画像を知覚できるが、それは、金属層によって主に反射され、ガラス表面によっては実質的に反射されない。このことは、ＨＵＤ画像の強度を制限する。
【０００８】
米国特許出願公開第２０１７／０２４２２４７号公報は、同様に、ｐ偏光で作動するＨＵＤ投影設備を開示しており、ウィンドシールドが、電気伝導性コーティングを備えている。電気伝導性コーティングは、４００ｎｍ〜６５０ｎｍのスペクトル範囲において、ｐ偏光に関して、５１０ｎｍ〜５５０ｎｍの範囲にある局所的な反射極大を有している。ＨＵＤ投影器の合計の光におけるｐ偏光の割合は、１００％である。
【０００９】
本発明の目的は、ヘッドアップディスプレイ用の改善された投影設備を提供することであり、用いられる複合ペインが、電気伝導性コーティングを有している。ヘッドアップディスプレイは、偏光選択性サングラスを着けている運転者にとっても容易に知覚可能である必要もあり、かつ、高い強度を有している必要がある。
【課題を解決するための手段】
【００１０】
本発明の目的は、本発明に従って、請求項１に係る投影設備によって、達成される。好ましい実施態様が、従属請求項に開示されている。
【図面の簡単な説明】
【００１１】
【図１】図１は、全体的な投影設備の部分としての複合ペインを通る断面である。
【図２】図２は、図１の複合ペインの平面図である。
【図３】図３は、本発明に係る複合ペインの第１の実施態様を通る断面である。
【図４】図４は、本発明に係る複合ペインの第２の実施態様を通る断面である。
【図５】図５は、本発明に係る電気伝導性コーティングにわたる断面である。
【図６】図６は、本発明に係る反射防止コーティングにわたる断面である。
【図７】図７は、本発明に係る電気伝導性コーティングを有する複合ペイン、及び、従来技術の電気伝導性コーティングを有する複合ペインの、反射スペクトルである。
【発明を実施するための形態】
【００１２】
本発明によれば、ＨＵＤ画像を生成するために、少なくとも部分的にｐ偏光が用いられ、好ましくは、ｓ偏光とｐ偏光の混合が用いられる。ＨＵＤ投影設備に関して典型的である約６５°の入射角度は、空気／ガラス移行に関するブリュースター角（５７．２°、ソーダ石灰ガラス）に近いので、ｐ偏光成分は、他方では、ペイン表面によってほとんど反射されない。しかしながら、本発明に係る電気伝導性コーティングは、ｐ偏光の反射に関して最適化されている。ｐ偏光のみの通過を可能にする偏光選択性サングラスを着けている運転者は、結果として、コーティングにおいて反射される光成分によってもたらされるＨＵＤ投影を知覚することができる。そのようなサングラスを着けていない運転者は、ｓ偏光成分とｐ偏光成分との重なり合いによってもたらされるＨＵＤ画像を知覚し、その結果として、全体的な強度が増加する。したがって、結果として得られるのは、偏光選択性サングラスを着けている運転者によっても、そのようなサングラスを着けていない運転者によっても、容易に知覚することができるＨＵＤ投影である。これは、本発明の主要な利点である。
【００１３】
ヘッドアップディスプレイ（ＨＵＤ）のための本発明に係る投影設備は、少なくとも、電気伝導性コーティングを有する複合ペイン、及び投影器を有する。ＨＵＤに関して通常であるように、投影器は、ウィンドシールドの、光が観察者（運転者）の方向に反射される領域に、放射線を当て、虚像を生成し、観察者は、この虚像を、観察者の視界から見て、ウィンドシールドの背後にあるものとして知覚する。投影器によって放射線を当てることができるウィンドシールドの領域は、ＨＵＤ領域として言及される。投影器の光線方向は、典型的にはミラーによって変更することができ、特には、垂直的に変更することができ、それによって、観察者の身体サイズに、投影を適合させる。所定のミラー位置の場合に観察者の目が位置することになる領域は、「アイボックスィンドウ」として言及される。このアイボックスィンドウは、ミラーの調節によって垂直的に変更することができ、そのようにして利用可能となる領域全体（すなわち、すべてのあり得るアイボックスィンドウを重ね合わせたもの）は、「アイボックス」として言及される。このアイボックスに位置している観察者は、虚像を知覚することができる。無論、このことは、観察者の目がアイボックス内に位置している必要があるということであり、身体全体のことではない。
【００１４】
ここで用いられているＨＵＤ分野からの技術用語は、一般的に、当業者に知られている。詳細な記載に関して、下記が参照される：アレクサンダー・ニューマンの論文「ヘッドアップディスプレイのためのシミュレーションに基づく計測技術」”Ｓｉｍｕｌａｔｉｏｎ−Ｂａｓｅｄ  Ｍｅａｓｕｒｅｍｅｎｔ  Ｔｅｃｈｎｏｌｏｇｙ  ｆｏｒ  Ｔｅｓｔｉｎｇ  Ｈｅａｄ−Ｕｐ  Ｄｉｓｐｌａｙｓ”、ｔｈｅ  Ｉｎｓｔｉｔｕｔｅ  ｏｆ  Ｃｏｍｐｕｔｅｒ  Ｓｃｉｅｎｃｅ  ａｔ  ｔｈｅ  Ｔｅｃｈｎｉｃａｌ  Ｕｎｉｖｅｒｓｉｔｙ  ｏｆ  Ｍｕｎｉｃｈ  （Ｍｕｎｉｃｈ：  Ｕｎｉｖｅｒｓｉｔｙ  Ｌｉｂｒａｒｙ  ｏｆ  ｔｈｅ  Ｔｅｃｈｎｉｃａｌ  Ｕｎｉｖｅｒｓｉｔｙ  ｏｆ  Ｍｕｎｉｃｈ，  ２０１２）、特に第２章「ヘッドアップディスプレイ」。
【００１５】
複合ペインは、熱可塑性中間層を介して互いに結合している外側ペイン及び内側ペインを有している。複合ペインは、ウィンドウ開口部において、特には自動車のウィンドウ開口部において、内部を外部環境から分離することを意図している。本発明に関して、用語「内側ペイン」は、複合ペインの、内部（乗り物内部）に面するペインに言及している。用語「外側ペイン」は、外部環境に面するペインに言及している。複合ペインは、好ましくは、自動車ウィンドシールド（特には、自動車、例えば乗用車又はトラックの、ウィンドシールド）である。
【００１６】
複合ペインは、上方端部及び下方端部、並びに、これらの間に延在している２つの側端部を有している。「上方端部」は、設置位置において上方に向くことが意図されている端部に言及している。「下方端部」は、設置位置において下方に向くことが意図されている端部に言及している。上方端部は、多くの場合、「ルーフ端部」としても言及され、かつ、下方端部は、多くの場合、「エンジン端部」としても言及される。
【００１７】
外側ペイン及び内側ペインは、それぞれ、外部側表面及び内部側表面、並びに、これらの間に延在している周縁側端部を有している。本発明に関して、「外部側表面」は、設置位置において、外部環境に向くことが意図されている主表面に言及している。本発明に関して、「内部側表面」は、設置位置において、内部に向くことが意図されている主表面に言及している。外側ペインの内部側表面、及び内側ペインの外部側表面は、互いに向き合っており、熱可塑性中間層によって互いに結合している。
【００１８】
複合ペインは、電気伝導性コーティング、特には透明電気伝導性コーティングを有する。電気伝導性コーティングは、好ましくは、２つのペインの表面のうち、中間層に面している面に、適用される；すなわち、外側ペインの内部側表面、又は、内側ペインの外部側表面に、適用される。代替的には、電気伝導性コーティングは、熱可塑性中間層の中に配置されることもでき、例えば、２つの熱可塑性結合フィルムの間に配置されるキャリアフィルムに、適用されてもよい。
【００１９】
伝導性コーティングは、例えば、ＩＲ反射太陽光保護コーティングとして提供されてよく、又は、電気的に接触されておりかつ電流が流れた場合に加熱する加熱可能コーティングとして提供されてもよい。用語「透明コーティング」は、可視スペクトル範囲において少なくとも７０％、好ましくは少なくとも８０％の平均透過率を有しており、したがってペインを通る視界を実質的に制限しないコーティングを意味している。好ましくは、ペイン表面の少なくとも８０％が、本発明に係るコーティングを備えている。特には、コーティングが、周縁端部領域を除いて、かつ随意に、通信ウィンドウ、センサウィンドウ、又はカメラウィンドウとして複合ペインを通る電磁放射の透過を確保することを意図しておりしたがってコーティングを備えていない局所的な領域を除いて、ペインの表面全体にわたって、ペイン表面に適用されている。周縁非コーティング端部領域は、例えば、２０ｃｍ以下の幅を有する。この領域は、コーティングと周辺の周囲雰囲気との直接の接触を防止し、それにより、複合ペインの内部において、コーティングを、腐食及び損傷に対して保護する。
【００２０】
電気伝導性コーティングは、１又は複数の、電気伝導層、特には金属含有層を有する、層スタック又は層配列であり、それぞれの電気伝導層が、それぞれ、２つの誘電体層又は誘電体層配列の間に配置されている。したがって、コーティングは、ｎの電気伝導層及び（ｎ＋１）の誘電体層又は誘電体層配列を有する薄フィルムスタックであり、ｎは、自然数であり、かつ、下方の誘電体層又は誘電体層配列の上において、伝導層及び誘電体層又は誘電体層配列が、それぞれ交互に続いている。そのようなコーティングは、太陽光保護コーティング及び加熱可能コーティングとして知られており、電気伝導層が、典型的には、銀に基づいている。
【００２１】
本発明に係る電気伝導性コーティングは、特には個々の層の材料及び厚み、並びに誘電体層配列の構造の選択を通じて、調節されており、それにより、４００ｎｍ〜６５０ｎｍのスペクトル範囲、好ましくは４００ｎｍ〜７５０ｎｍのスペクトル範囲において、ｐ偏光に関して単一の局所的な反射極大のみが起こるようになっている。ｐ偏光に関するこの反射極大は、特には、５１０ｎｍ〜５５０ｎｍのスペクトル範囲にある。有利な実施態様では、この局所的な反射極大が、４００ｎｍ〜６５０ｎｍのスペクトル範囲における最も高い反射の値を示す；すなわち、４００ｎｍ〜６５０ｎｍのスペクトル範囲において、局所的な極大の反射率よりも高いｐ偏光に関する反射率は、存在しない。
【００２２】
本件発明者らは、そのような電気伝導性コーティングは、ｐ偏光成分を効率的に反射し、かつ、複合ペインも、透過及び反射において比較的ニュートラルな色を有することを、見出した。本発明に従って調節されたコーティングによって、特には、色を常に比較的ニュートラルに保持したまま、個々の場合の要件に対応するｐ偏光成分を自由に選択することが、可能となる。このようにして、個々の場合において、ｐ偏光成分を、用いられる投影器、その光の波長、入射角度、及び複合ペインの形状に応じて、選択することができ、それにより、有利な全体的な強度が達成されるようにすることができる。結果として、本発明は、種々のＨＵＤシステムに柔軟に適用することができ、このことは、大きな利点を構成する。
【００２３】
投影設備の特性に関して重要なのは、複合ペインの反射挙動であり、これは、本質的に、電気伝導性コーティングによって決定される。反射スペクトルは、電気伝導性コーティングを備える複合ペインにおいて計測される。厳密にいえば、ｐ偏光及びｓ偏光に関してここで記載されている反射特性（反射率、局所的な反射極大）は、単独の伝導性コーティングに言及しているのではなく、電気伝導性コーティングを有している複合ペインに、言及している。
【００２４】
反射率は、合計の入射光のうち反射する割合を記述している。反射率は、（１００％入射光に基づいて）％で示され、又は、（入射光に対して規格化されている）無単位の数０〜１として示される。反射率は、波長の関数としてプロットされて、反射スペクトルを形成する。
【００２５】
４００ｎｍ〜６５００ｎｍのスペクトル範囲においてｐ偏光に関して局所的な反射極大で起こる反射率と、４００ｎｍ〜６５０ｎｍのスペクトル範囲においてｐ偏光に関して極小で起こる反射率との間の差異は、有利な実施態様では、最大で１０％、好ましくは最大で８％である。したがって、反射曲線は、比較的平坦であり、このことは、可能な限り真色的に表現される投影画像の観点から、有利である。ここでのパーセンテージは、（１００％入射角に基づく）反射率における絶対的な差異を示す。
【００２６】
ｓ偏光に関する反射スペクトルも、可能な限り平坦である必要があり、すなわち、特には４５０ｎｍ〜６００ｎｍのスペクトル範囲において、顕著な極大及び極小を有していない必要がある。両方の偏光方向に関して反射スペクトルが十分に平坦である場合には、望ましくない色の変化を伴うことなく、ｓ偏光とｐ偏光との相対的な割合を、自由に選択することが可能である。有利な実施態様では、４５０ｎｍ〜６００ｎｍのスペクトル範囲におけるｓ偏光の反射率が、実質的に一定である。本発明に関して、これが意味しているのは、極大で起こる反射率と平均との間の差異、及び、極小で起こる反射率と平均との間の差異が、最大で５％、好ましくは最大で３％、特に好ましくは最大で１％であることである。ここでのパーセンテージは、（１００％入射光に基づく）反射率における絶対的な差異を示す。
【００２７】
投影器は、複合ペインの内側に配置され、内側ペインの内部側表面を介して、複合ペインに放射線を当てる。投影器は、ＨＵＤ領域に向けられ、ＨＵＤ領域に放射線を当てて、ＨＵＤ投影を生成する。本発明によれば、投影器の光は、０％超のｐ偏光成分を有する。原則として、ｐ偏光成分は、１００％であってもよく、すなわち、投影器が、純粋にｐ偏光を射出することができる。しかしながら、ＨＵＤの全体的な強度に関しては、投影器の光がｓ偏光成分及びｐ偏光成分の両方を有していることが有利である。この場合には、ｐ偏光成分が、コーティングによって効率的に反射され；ｓ偏光成分が、ペイン表面によって効率的に反射される。ｐ偏光成分とｓ偏光成分との比は、個々の場合の要件に応じて自由に選択することができる。投影器の合計の光におけるｐ偏光の割合は、例えば、２０％〜１００％、好ましくは２０％〜８０％である。特に有利な実施態様では、ｐ偏光の割合が、少なくとも５０％であり、すなわち、５０％〜１００％、好ましくは５０％〜８０％であり、これによって、特には、偏光選択性サングラスを身に着けている運転者が高い強度を有する画像を知覚できることが確保される。変更方向の指示は、複合ペインにおける光の入射の平面に言及している。用語「ｐ偏光」は、その電界が入射の平面で振動する光に言及している。「ｓ偏光」は、その電界が入射の平面に対して垂直に振動する光に言及している。入射の平面は、入射のベクターと、ＨＵＤ領域の幾何学中心における複合ペインの表面垂線によって形成される。
【００２８】
投影器の光は、好ましくは、ＨＵＤ投影設備において慣用的なように、５０°〜８０°、特には６０°〜７０°、典型的には約６５°の入射角度で、複合ペインに当たる。入射角度は、投影器の光の入射のベクターと、ＨＵＤ領域の幾何学的中心における表面垂線との間の角度である。
【００２９】
本発明に係る電気伝導性コーティングは、好ましい実施態様では、少なくとも２つの機能性電気伝導層、特に好ましくは少なくとも３つの電気伝導層、最も特に好ましくは少なくとも４つの電気伝導層、特には、正確に４つの電気伝導層を、有する。伝導層の数が多いことに起因して、十分な自由度が、透過性及び反射挙動並びに色の観点から、コーティングの最適化に関して、利用可能となる。
【００３０】
機能性電気伝導層は、コーティングの電気伝導性に重要である。伝導性材料の全体を、互いに分離している複数の層に分割することによって、層を、それぞれ、比較的薄く設計することができ、その結果として、コーティングの透明性が増加する。それぞれの電気伝導層は、好ましくは、少なくとも１つの金属又は少なくとも１つの金属合金、例えば、銀、アルミニウム、銅、又は金を含有し、かつ、特に好ましくは、金属又は金属合金に基づいており、換言すると、任意のドーパント又は不純物の他に実質的に金属又は金属合金からなっている。好ましくは、銀又は銀含有合金が用いられる。有利な実施態様では、電気伝導層が、少なくとも９０重量％の銀、好ましくは少なくとも９９重量％の銀、特に好ましくは少なくとも９９．９重量％の銀を含有している。
【００３１】
それぞれの電気伝導層は、好ましくは、３ｎｍ〜２０ｎｍ、特に好ましくは５ｎｍ〜１５ｎｍの層厚を有する。全ての電気伝導層の合計の層厚は、好ましくは、２０ｎｍ〜５０ｎｍ、特に好ましくは３０ｎｍ〜４０ｎｍである。
【００３２】
本発明によれば、誘電体層又は誘電体層配列が、電気伝導層の間に、かつ、最下方伝導層の下方に、かつ、最上方伝導層の上方に、配置される。それぞれの誘電体層又は誘電体層配列は、少なくとも１つの反射防止層を有する。反射防止層は、可視光の反射を低減し、そのようにして、コーティングされたペインの透明性を増加させる。反射防止層は、例えば、窒化ケイ素（ＳｉＮ）、混合ケイ素金属窒化物、例えばケイ素ジルコニウム窒化物（ＳｉＺｒＮ）、アルミニウム窒化物（ＡｌＮ）、又はスズ酸化物（ＳｎＯ）を含有する。反射防止層は、ドーパントを有していてもよい。個々の反射防止層の層厚は、好ましくは、１０ｎｍ〜７０ｎｍである。
【００３３】
反射防止層は、少なくとも２つのサブ層にさらに分割されていてよく、特には、２．１未満の屈折率を有する誘電体層、及び２．１以上の屈折率を有する光学的高屈折率層にさらに分割されていてよい。好ましくは、２つの電気伝導層の間に配置される少なくとも１つの反射防止層、特に好ましくは２つの電気伝導層の間に配置されているそれぞれの反射防止層が、このようにしてさらに分割されている。反射防止層のさらなる分割は、電気伝導性コーティングのシート抵抗の低減をもたらし、かつ同時に、高い透過性及び高い色ニュートラル性をもたらす。２つのサブ層の順番は、原則として任意に選択することができ、好ましくは、光学的高屈折層が、誘電体層の上方に配置される；これは、シート抵抗の観点から特に有利である。光学的高屈折層の厚みは、好ましくは、反射防止層の合計厚みの、１０％〜９９％、特に好ましくは２５％〜７５％である。
【００３４】
２．１以上の屈折率を有する光学的高屈折層は、例えば、ＭｎＯ、ＷＯ３、Ｎｂ２Ｏ５、Ｂｉ２Ｏ３、ＴｉＯ２、Ｚｒ３Ｎ４、及び／又はＡｌＮを含有し、好ましくは、混合ケイ素金属窒化物、例えば、混合ケイ素アルミニウム窒化物、混合ケイ素ハフニウム窒化物、又は、混合ケイ素チタン窒化物を含有し、特に好ましくは、混合ケイ素−ジルコニウム窒化物（ＳｉＺｒＮ）を含有する。これは、電気伝導性コーティングのシート抵抗の観点から特に有利である。混合ケイ素ジルコニウム窒化物は、好ましくは、ドーパントを有する。光学的高屈折材料の層は、例えば、アルミニウムでドープされている混合ケイ素ジルコニウム窒化物を含有することができる。ジルコニウムの含有量は、好ましくは、１５重量％と４５重量％の間、特に好ましくは、１５重量％と３０重量％の間である。
【００３５】
２．１未満の屈折率を有する誘電体層は、好ましくは、１．６と２．１の間、特に好ましくは１．９と２．１の間の屈折率ｎを有する。誘電体層は、好ましくは、少なくとも１つの酸化物、例えば、スズ酸化物、及び／又は、少なくとも１つの窒化物、特に好ましくはケイ素窒化物を、含有する。
【００３６】
好ましい実施態様では、２つの電気伝導層の間に配置されるそれぞれの反射防止層が、２．１未満の屈折率を有する誘電体層、及び、２．１以上の屈折率を有する光学的高屈折層に、さらに分割されている。２つの電気伝導層の間に配置されているそれぞれの反射防止層の厚みは、１５ｎｍ〜６０ｎｍである。最上方電気伝導層の上方の反射防止層、及び最下方電気伝導層の下方の反射防止層も、さらに分割されていてよいが、好ましくは、別個の層として実施されており、それぞれ、１０ｎｍ〜２５ｎｍの厚みを有する。
【００３７】
有利な実施態様では、１又は複数の誘電体層配列、好ましくは、電気伝導層の下方に配置されているそれぞれの誘電体層配列が、第１適合層を有している。第１適合層は、好ましくは、反射防止層の上方に配置される。
【００３８】
有利な実施態様では、１又は複数の誘電体層配列、好ましくは、２つの電気伝導層の間に配置されているそれぞれの誘電体層配列が、平滑層を有している。平滑層は、第１適合層のうちの１つの下方に配置され、好ましくは、反射防止層と第１適合層との間に配置される。平滑層は、好ましくは、第１適合層と直接に接触する。平滑層は、後に平滑層の上に適用される電気伝導層のための表面を最適化する役割、特には平滑化する役割を有する。比較的平坦な表面に堆積される電気伝導層は、比較的高い透過性を有し、かつ同時に、比較的低いシート抵抗を有する。平滑層の層厚は、好ましくは、３ｎｍ〜２０ｎｍであり、特に好ましくは、４ｎｍ〜１２ｎｍである。平滑層は、好ましくは、２．２未満の屈折率を有する。
【００３９】
平滑層は、好ましくは、少なくとも１つの非結晶性酸化物を含有する。酸化物は、非晶質であってよく、又は、部分的に非晶質であってよく（したがって部分的に結晶質であってよく）、しかしながら、完全に結晶性ではない。非結晶性の平滑層は、低い粗さを有しており、そのため、この平滑層の上に適用される層のための有利に平滑な表面を、形成する。非結晶性の平滑層は、さらに、この平滑層の上に直接に堆積される層、好ましくは第１適合層、の改善された表面構造のために、重要である。平滑層は、例えば、スズ、ケイ素、チタン、ジルコニウム、ハフニウム、亜鉛、ガリウム、及びインジウムの元素うちの１又は複数の、少なくとも１つの酸化物を含有することができる。平滑層は、特に好ましくは、非結晶性混合酸化物を含有する。平滑層は、最も特に好ましくは、混合スズ亜鉛酸化物（ＺｎＳｎＯ）を含有する。混合酸化物は、ドーパントを有することができる。平滑層は、例えば、アンチモンでドープされた混合スズ亜鉛酸化物を含有することができる。混合酸化物は、好ましくは、準化学量論的な酸素含有量を有している。スズ含有量は、好ましくは１０重量％と４０重量％との間、特に好ましくは１２重量％と３５重量％との間である。
【００４０】
有利な実施態様では、１又は複数の誘電体層配列、好ましくはそれぞれの誘電体層配列が、電気伝導層の上に配置されている第２適合層を有する。第２適合層は、好ましくは、反射防止層の下に配置される。
【００４１】
第１及び第２適合層は、コーティングのシート抵抗を改善する役割を有する。第１適合層及び／又は第２適合層は、好ましくは、亜鉛酸化物ＺｎＯ１−δ、０＜δ＜０．０１、を含有する。第１適合層及び／又は第２適合層は、好ましくは、さらにドーパントを含有する。第１適合層及び／又は第２適合層は、例えば、アルミニウムでドープされた亜鉛酸化物（ＺｎＯ：Ａｌ）を含有することができる。亜鉛酸化物は、好ましくは、酸素に関して準化学量論的に堆積され、それによって、過剰な酸素と銀含有層との反応を回避する。第１適合層及び第２適合層の層厚は、好ましくは、３ｎｍ〜２０ｎｍ、特に好ましくは４ｎｍ〜１２ｎｍである。
【００４２】
有利な実施態様では、電気伝導性コーティングが、１又は複数のブロッキング層を有する。好ましくは、少なくとも１つのブロッキング層が、少なくとも１つの電気伝導層、特に好ましくはそれぞれの電気伝導層と、関連している。ブロッキング層は、電気伝導層と直接に接触しており、かつ、電気伝導層のすぐ上方又はすぐ下方に配置されている；すなわち、他の層は、電気伝導層とブロッキング層との間に配置されない。ブロッキング層は、それぞれの場合に、伝導層のすぐ上方及びすぐ下方に配置されていることもできる。ブロッキング層は、好ましくは、ニオブ、チタン、ニッケル、クロム、及び／又はそれらの合金、特に好ましくは、ニッケル−クロム合金を含有する。ブロッキング層の層厚は、好ましくは、０．１ｎｍ〜２ｎｍ、特に好ましくは０．１ｎｍ〜１ｎｍである。電気伝導層のすぐ下方のブロッキング層は、特に、温度処理の間に電気伝導層を安定化する役割を有し、電気伝導性コーティングの光学的性質を改善する。電気伝導層のすぐ上方のブロッキング層は、後に続く層、例えば第２適合層の、反応性カソードスパッタリングによる堆積の間に、酸化性反応性周囲雰囲気と、感受性の電気伝導層との接触を、防止する。
【００４３】
本発明に関して、第１の層が第２の層の「上方」に配置されている場合、これが意味するのは、第１の層が、第２の層よりも、コーティングが適用されている基材から離れて配置されているということである。本発明に関して、第１の層が第２の層の「下方」に配置されている場合、これが意味するのは、第２の層が、第１の層よりも、基材から離れて配置されていることである。本発明に関して、第１の層が第２の層の「上方又は下方」に配置されている場合、これは、必ずしも、第１の層及び第２の層が互いに直接に接触していることを意味しない。明示的に排除されない限り、１又は複数の追加的な層が、第１の層と第２の層との間に配置されていることができる。屈折率に関して示されている値は、５５０ｎｍの波長で計測される。
【００４４】
本発明に係る反射特性を有する電気伝導性コーティングは、原則として、種々の方法で実現可能であり、好ましくは、上述の層を用いて実現可能であり、したがって、本発明は、特定の層配列に限定されない。以下では、特に良好な結果が達成される、コーティングの特に好ましい実施態様を、特には約６５°の光の典型的な入射の角度で、示す。
【００４５】
特に好ましい実施態様では、伝導性コーティングが、少なくとも４つ、特には正確に４つの、電気伝導層を有する。それぞれの電気伝導層は、好ましくは、３ｎｍ〜２０ｎｍ、特に好ましくは５ｎｍ〜１５ｎｍの層厚を有する。すべての電気伝導層の合計の層厚は、好ましくは、２０ｎｍ〜５０ｎｍ、特に好ましくは３０ｎｍ〜４０ｎｍである。
【００４６】
第２伝導層と第３伝導層との間の反射防止層は、第１伝導層と第２伝導層との間の反射防止層、及び第３伝導層と第４伝導層との間の反射防止層（好ましくは１５ｎｍ〜３５ｎｍ、特には、２つの反射防止層のうちの１つが、１５ｎｍ〜２５ｎｍの厚みであり、他方が、２５ｎｍ〜３５ｎｍの厚みである）よりも、実質的に厚い（好ましくは４５ｎｍ〜５５ｎｍ）。第１電気伝導層と第２電気伝導層との間の反射防止層は、特に好ましくは、２５ｎｍ〜３５ｎｍの厚みを有する。第２電気伝導層と第３電気伝導層との間の反射防止層は、特に好ましくは、４５ｎｍ〜５５ｎｍの厚みを有する。第３電気伝導層と第４電気伝導層との間の反射防止層は、特に好ましくは、１５ｎｍと２５ｎｍの厚みを有する。
【００４７】
２つの電気伝導層の間に配置されるすべての反射防止層は、上述のように、（好ましくはケイ素窒化物に基づく）２．１未満の反射率を有する誘電体層、及び、（好ましくは混合ケイ素／金属窒化物、例えばケイ素−ジルコニウム窒化物又はケイ素−ハフニウム窒化物に基づく）２．１以上の屈折率を有する光学的高屈折層に、さらに分割される。光学的高屈折層は、好ましくは、反射防止層の合計の厚みの、２５％〜７５％である。
【００４８】
最下方伝導層の下方の反射防止層、及び、最上方伝導層の上方の反射防止層は、１０ｎｍ〜２５ｎｍの層厚を有する単一の層として実施される。好ましくは、ケイ素窒化物に基づく、最下方伝導層の下方の反射防止層が、１５ｎｍ〜２５ｎｍの厚みで実施され；混合ケイ素／金属窒化物、例えばケイ素−ジルコニウム窒化物又はケイ素−ハフニウム窒化物に基づく、最上方伝導層の上方の反射防止層が、８ｎｍ〜１８ｎｍの厚みで実施される。
【００４９】
コーティングの特に好ましい実施態様は、上述のように、適合層及び平滑層、並びに随意のブロッキング層も、含有することができる。
【００５０】
電気伝導性コーティングの最も特に好ましい実施態様は、基材から出発して、下記の層配列を含み、又は、下記の層配列からなる：
−  ケイ素窒化物に基づいており２０ｎｍ〜２３ｎｍの厚みを有する反射防止層、
−  亜鉛酸化物に基づいており８ｎｍ〜１２ｎｍの厚みを有する第１適合層、
−  銀に基づいており８ｎｍ〜１１ｎｍの厚みを有する電気伝導層、
−  随意の、ＮｉＣｒに基づいており０．１ｎｍ〜０．５ｎｍの厚みを有する、ブロッキング層、
−  亜鉛酸化物に基づいており８ｎｍ〜１２ｎｍの厚みを有する第２適合層、
−  ２８ｎｍ〜３２ｎｍの厚みを有する反射防止層、この反射防止層は、好ましくは、ケイ素窒化物に基づいており１４ｎｍ〜１７ｎｍの厚みを有する誘電体層、及び、混合ケイ素／金属窒化物例えばケイ素−ジルコニウム窒化物又はケイ素−ハフニウム窒化物に基づいており１４ｎｍ〜１７ｎｍの厚みを有する光学的高屈折層に、さらに分割されている、
−  混合スズ−亜鉛酸化物に基づいており５ｎｍ〜９ｎｍの厚みを有する平滑層、
−  亜鉛酸化物に基づいており８ｎｍ〜１２ｎｍの厚みを有する第１適合層、
−  銀に基づいており１１ｎｍ〜１４ｎｍの厚みを有する電気伝導層、
−  随意の、ＮｉＣｒに基づいており０．１ｎｍ〜０．５ｎｍの厚みを有するブロッキング層、
−  亜鉛酸化物に基づいており８ｎｍ〜１２ｎｍの厚みを有する第２適合層、
−  ４８ｎｍ〜５２ｎｍの厚みを有する反射防止層、この反射防止層は、好ましくは、ケイ素窒化物に基づいており３３ｎｍ〜３７ｎｍの厚みを有する誘電体層、及び、混合ケイ素／金属窒化物例えばケイ素−ジルコニウム窒化物又はケイ素−ハフニウム窒化物に基づいており１４ｎｍ〜１７ｎｍの厚みを有する光学的高屈折層に、さらに分割されている、
−  混合スズ−亜鉛酸化物に基づいており、５ｎｍ〜９ｎｍの厚みを有する、平滑層、
−  亜鉛酸化物に基づいており８ｎｍ〜１２ｎｍの厚みを有する第１適合層、
−  銀に基づいており８ｎｍ〜１１ｎｍの厚みを有する電気伝導層、
−  随意の、ＮｉＣｒに基づいており０．１ｎｍ〜０．５ｎｍの厚みを有するブロッキング層、
−  亜鉛酸化物に基づいており８ｎｍ〜１２ｎｍの厚みを有する第２適合層、
−  １８ｎｍ〜２２ｎｍの厚みを有する反射防止層、この反射防止層は、好ましくは、ケイ素窒化物に基づいており４ｎｍ〜７ｎｍの厚みを有する誘電体層、及び、混合ケイ素／金属窒化物例えばケイ素−ジルコニウム窒化物又はケイ素−ハフニウム窒化物に基づいており１４ｎｍ〜１７ｎｍの厚みを有する光学的高屈折層に、さらに分割されている、
−  混合スズ−亜鉛酸化物に基づいており５ｎｍ〜９ｎｍの厚みを有する平滑層、
−  亜鉛酸化物に基づいており８ｎｍ〜１２ｎｍの厚みを有する第１適合層、
−  銀に基づいており４ｎｍ〜７ｎｍの厚みを有する電気伝導層、
−  随意の、ＮｉＣｒに基づいており０．１ｎｍ〜０．５ｎｍの厚みを有するブロッキング層、
−  亜鉛酸化物に基づいており８ｎｍ〜１２ｎｍの厚みを有する第２適合層、
−  混合ケイ素／金属窒化物例えばケイ素−ジルコニウム窒化物又はケイ素−ハフニウム窒化物に基づいており１１ｎｍ〜１５ｎｍの厚みを有する反射防止層。
【００５１】
層が材料に基づいている場合、この層は、大部分が、この材料からなっており、追加的に、任意の不純物又はドーパントを含む。
【００５２】
他の全体的な投影設備でもそうであるように、望ましくな二次画像（いわゆる「ゴースト画像」）、特には偏光選択性サングラスを着けていない運転者によって知覚される二次画像が、起こり得る。ｓ偏光成分は、まず、内側ペインの、中間層から離れて面している内部側表面で、反射する。反射していない部分的な光線は、複合ペインを通過し、外側ペインの、中間層から離れて面している外部側表面で、再び反射する。これは、望ましくない二次的な虚像、いわゆる「ゴースト画像」又は「ゴースト」を生じる。ゴースト画像の発生を防止するための方策、又は少なくともゴースト画像の発生を低減する方策をとることが、望ましい。この目的のために、２つの実施態様が、本発明に関して提案される。
【００５３】
第１の有利な実施態様では、いわゆる「くさびフィルム」が、熱可塑性中間層として使用される。中間層の厚みは、複合ペインの下方端部と上方端部との間におけるその垂直経路にわたって、少なくともＨＵＤ領域において、種々の値であり、特には、単調に増加する。厚みは、下方端部から始まって上方端部へと、垂直経路全体において種々の値であることもでき、特には、単調に増加することができる。「垂直経路」は、下方端部と上方端部との間の経路であって、経路の方向が、上述の端部に対して実質的に直交している。中間層の２つの表面の間の角度は、「くさび角度」として言及される。くさび角度が一定でない場合には、１つの点における表面に対する接線を、くさび角度の計測に用いる必要がある。くさび角度は、好ましくは、０．２ｍｒａｄ〜１ｍｒａｄであり、特に好ましくは、０．３ｍｒａｄ〜０．７ｍｒａｄであり、最も特に好ましくは、０．４ｍｒａｄ〜０．５ｍｒａｄである。中間層のくさび角度に起因して、平行でない外側ペイン及び内側ペインが、くさび角度を正確に取り囲む。平行のペイン表面の場合には、（内側ペインの内部側表面におけるｓ偏光成分の反射によって生ずる）画像と、（外側ペインの外部側表面におけるｓ偏光成分の反射によって生ずる）ゴースト画像が、互いに対してオフセットして現れ、これは、観察者にとって煩わしい。くさび角度に起因して、ゴースト画像が、画像と空間的に実質的に重なり合い、それにより、観察者が、単一の画像のみを知覚するようになり、又は、画像とゴースト画像との間の距離が少なくとも低減される。
【００５４】
少なくともＨＵＤ領域において、中間層が、くさび形状であり、又はくさび状であり、くさび角度が、内側ペインの内部側表面における反射によって生ずる投影画像と、外側ペインの外部側表面における反射によって生ずる投影画像とが重なり合うように、又は、少なくともこれらの間の距離を低減するように、適切に選択される。
【００５５】
中間層のくさび角度は、その垂直経路にわたって一定であってよく、中間層の厚みにおける線形的な変化をもたらし、厚みが、典型的には底部から上方に向かって大きくなる。「底部から上方に向かって」という方向の表示は、下方端部から上方端部の方向、すなわち、垂直経路に言及している。しかしながら、底部から上方に向かってくさび角度が、線形的又は非線形的に種々の値をとる（換言すると、その垂直経路にわたって位置に依存する）比較的複雑な厚みプロファイルも、可能である。
【００５６】
原則として、中間層におけるくさびフィルムの代わりに、くさび状の内側ペイン又は外側ペインを使用することもでき、それによって、反射表面を、互いに対して角度付けすることもできる。
【００５７】
第２の有利な実施態様では、反射防止コーティングが、内側ペインの内部側表面に適用される。これは、内側ペインの内部側表面の反射によって生ずるであろうＨＵＤ画像を、抑制する。（ｓ偏光）ＨＵＤ画像は、外側ペインの外部側表面における反射によってのみ生成され、ゴースト画像は生じず、又は、顕著に低減された強度を有するゴースト画像のみが、生成する。
【００５８】
反射防止コーティングは、好ましくは、交互に高い屈折率及び低い屈折率を有する層配列であり、これは、干渉効果に起因して、コーティングされた表面における反射の低減をもたらす。そのような反射防止コーティングは、それ自体知られている。
【００５９】
反射防止コーティングの存在は、複合ペインの反射挙動に影響する。反射防止コーティングは、好ましくは、特には材料及び層厚の適切な選択によって、調節されており、それにより、電気伝導性コーティング及び反射防止コーティングを有する複合ペインが、反射挙動に関する本発明に係る要件、すなわち、特には、４００ｎｍ〜６５０ｎｍのスペクトル範囲において、ｐ偏光に関して、５１０ｎｍ〜５５０ｎｍの範囲である単一の局所的な反射極大のみを有しているようになっている。上述の好ましい実施態様が、適宜適用される。
【００６０】
反射防止コーティングは、種々の方法で実施されてよく、本発明は、特定の層配列に限定されない。反射防止コーティングは、好ましくは、基材から出発して、１．８超の屈折率を有する高屈折層、その上の、１．８未満の屈折率を有する低屈折層、その上の、１．８超の屈折率を有する別の高屈折層、及び、その上の、１．８未満の屈折率を有する別の低屈折層を、有する。
【００６１】
良好な結果が達成される特に好ましい実施態様では、反射防止コーティングが、基材（すなわち、内側ペインの内部側表面）から出発して、下記の層を有する：
−  ケイ素窒化物、スズ−亜鉛酸化物、ケイ素−ジルコニウム窒化物、又はチタン酸化物、好ましくはケイ素窒化物、に基づいており、１５ｎｍ〜２５ｎｍ、好ましくは１８ｎｍ〜２２ｎｍの厚みを有する、層（高屈折層）、
−  二酸化ケイ素に基づいており、１５ｎｍ〜２５ｎｍ、好ましくは１８ｎｍ〜２２ｎｍの厚みを有する、層（低屈折層）、
−  ケイ素窒化物、スズ−亜鉛酸化物、ケイ素−ジルコニウム窒化物、又はチタン酸化物、好ましくはケイ素窒化物、に基づいており、９０ｎｍ〜１１０ｎｍ、好ましくは９５ｎｍ〜１０５ｎｍの厚みを有する、層（高屈折層）、
−  二酸化ケイ素に基づいており、８０ｎｍ〜１００ｎｍ、好ましくは８５ｎｍ〜９５ｎｍの厚みを有する、層（低屈折層）。
【００６２】
第２の有利な実施態様においても、中間層は、くさび形状であってよく、それによって、例えば、（外側ペインの外部側表面における反射からの）ｓ偏光画像と、（伝導性コーティングにおける反射からの）ｐ偏光画像とを重ね合わせて、そのようにして、偏光選択性サングラスを着けていない運転者に関して層ゴースト画像の発生を低減することができる。その場合、中間層は、少なくともＨＵＤ領域において、くさび形状であり、又はくさび状であり、くさび角度が、電気伝導性コーティングにおける反射によって生ずる投影画像と、外側ペインの外部側表面における反射によって生ずる投影画像とが重なり合うように、又は、少なくともこれらの間の距離を低減するように、適切に選択される。
【００６３】
反射平面の間の比較的小さい距離に起因して、主画像と層ゴースト画像である場合のゴースト画像との間の距離が、ペイン表面によって生じるゴースト画像の場合よりも、比較的小さく、その結果として、層ゴースト画像は、比較的煩わしくない。結果として、上方端部と下方端部との間の垂直経路において厚みが実質的に一定である中間層を、使用することができる。そのような非くさび形状中間層は、好ましい；なぜならば、実質的に比較的経済的であり、その結果として、ペインを、比較的経済的に製造することができるからである。層ゴースト画像の顕著性は、典型的な複合ペインの場合には、許容範囲内であり、そのため、それを回避するために方策を講じる必要はない。
【００６４】
外側ペイン及び内側ペインは、好ましくは、ガラスでできており、特に好ましくは、ソーダ石灰ガラスでできており、これは、ウィンドウペインに関して慣用的である。しかしながら、原則として、ペインは、他のタイプのガラス（例えば、ホウケイ酸ガラス、石英ガラス、アルミノケイ酸ガラス）でできていてよく、又は、透明プラスチック（例えば、ポリメチルメタクリレート又はポリカーボネート）でできていてよい。外側ペイン及び内側ペインの厚みは、種々の値であることができる。０．８ｍｍ〜５ｍｍ、好ましくは１．４ｍｍ〜２．５ｍｍの厚みを有するペインが、好ましくは用いられ、例えば、１．６ｍｍ又は２．１ｍｍの標準的な厚みを有するペインが、好ましくは用いられる。
【００６５】
外側ペイン、内側ペイン、及び／又は熱可塑性中間層は、クリアかつ無色であってよいだけでなく、色づいていてよく又は着色されていてよい。好ましい実施態様では、ウィンドシールドを通る合計透過率が、７０％超である。用語「合計透過率」は、ＥＣＥ−Ｒ４３、アネックス３、§９．１で規定されている、自動車ウィンドウの光透過性をテストするための方法に基づいている。外側ペイン及び内側ペインは、それぞれに対して独立に、事前強化されていなくてよく、部分的に事前強化されてよく、又は事前強化されてよい。ペインのうちの少なくとも１つが事前強化される場合には、これは、熱的又は化学的な事前強化であってよい。
【００６６】
複合ペインは、好ましくは、自動車ウィンドウペインに関して慣用的であるように、１又は複数の空間的方向において湾曲しており、曲率の典型的な半径が、約１０ｃｍ〜約４０ｍである。しかしながら、複合ペインは、例えば、バス、列車、又はトラクター用のペインとして意図されている場合には、平坦であってもよい。
【００６７】
熱可塑性中間層は、少なくとも熱可塑性ポリマー、好ましくはエチレンビニルアセテート（ＥＶＡ）、ポリビニルブチラール（ＰＶＢ）、若しくはポリウレタン（ＰＵ）、又は、これらの混合物、若しくはコポリマー、若しくは派生物、特にはＰＶＢを、含有する。中間層は、典型的には、熱可塑性フィルムから形成される。中間層の厚みは、好ましくは、０．２ｍｍ〜２ｍｍ、特に好ましくは０．３ｍｍ〜１ｍｍである。くさび形状の層が用いられる場合には、厚みは、最も薄い場所において、典型的には複合ペインの下方端部において、決定される。
【００６８】
複合ペインは、それ自体知られる方法によって、製造することができる。外側ペイン及び内側ペインを、中間層を介して、例えば、オートクレーブ法、真空バッグ法、真空リング法、カレンダー法、真空ラミネータ、又はこれらの組み合わせによって、一緒に積層する。外側ペインと内側ペインとの結合は、慣用的に、熱、真空、及び／又は圧力の作用の下で、行われる。
【００６９】
電気伝導性コーティングは、好ましくは物理気相堆積（ＰＶＤ）によって、特に好ましくはカソードスパッタリング（「スパッタリング」）によって、最も特に好ましくは、マグネトロンエンハンストカソードスパッタリングによって、内側ペインに、適用される。反射防止コーティングがある場合には、反射防止コーティングについても、同様である。１又は複数のコーティングは、好ましくは、積層の前に、ペインに適用される。電気伝導性コーティングをペイン表面に適用する代わりに、原則として、中間層に配置されるキャリアフィルムに、配置することもできる。
【００７０】
複合ペインが湾曲される場合には、外側ペイン及び内側ペインを、好ましくは積層の前、好ましくはコーティングプロセスの後に、曲げプロセスに供する。好ましくは、外側ペイン及び内側ペインが、一致して一緒に（すなわち同時にかつ同一の道具で）曲げられる；なぜならば、このようにして、ペインの形状が、後の積層に関して最適に適合されるからである。ガラス曲げプロセスのための典型的な温度は、例えば、５００℃〜７００℃である。
【００７１】
本発明は、本発明に従って実施される複合ペインの、ヘッドアップディスプレイ用投影設備の投影表面としての使用も含んでおり、光が少なくとも１つのｐ偏光成分を含む投影器が、ＨＵＤ領域に向けられている。上述の好ましい実施態様が、適宜、この使用に適用される。投影設備は、好ましくは、自動車、特には乗用車又はトラックにおいて、ＨＵＤとして使用される。
【００７２】
以下では、図面及び例示的な実施態様を参照して、本発明を詳細に説明する。図面が、概略図であり、縮尺どおりではない。図面は、決して本発明を制限しない。
【００７３】
図１は、ＨＵＤ用の全体的な投影設備を描写している。投影設備は、特には乗用車のウィンドシールドである、複合ペイン１０を有している。投影設備は、また、複合ペイン１０の領域Ｂに向けられている投影器４を有する。通常はＨＵＤ領域として言及される領域Ｂにおいて、投影器４は、観察者５（乗り物運転者）の目がいわゆるアイボックスＥ内に位置している場合に、複合ペイン１０の、観察者から離れて面している側における虚像として観察者によって知覚される画像を、生成することができる。
【００７４】
複合ペイン１０が、熱可塑性中間層３を介して互いに結合している外側ペイン１及び内側ペイン２から構築されている。その下方端部Ｕは、乗用車のエンジンの方向に下向きに配置されており、その上方端部Ｏは、ルーフの方向に上向きに配置されている。複合ペイン１０は、また、（図示されていない）電気伝導性コーティングも有しており、この電気伝導性コーティングは、例えば、ＩＲ反射コーティングとして、又は加熱可能コーティングとして、提供されている。設置位置において、外側ペイン１は、外部環境に面しており、内側ペイン２は、乗り物内部に面している。
【００７５】
投影器４の光が、ｓ偏光成分及びｐ偏光成分の混合を含んでいる。投影器４は、ブリュースター角度に近い約６５°の入射角度で複合ペイン１０に放射線を当てるので、ｓ偏光成分は、複合ペイン１０の表面によって、主に反射される。他方で、本発明に係る電気伝導性コーティングは、ｐ偏光成分の反射に関して最適化されている。結果として、ｐ偏光のみを通過させることが可能な偏光選択性サングラスを身に着けている観察者５が、ＨＵＤ投影を知覚することができる。ｓ偏光のみで作動する従来技術の投影設備では、そうではない。サングラスを身に着けていない観察者５は、ｓ偏光及びｐ偏光の合計を知覚し、それにより、ＨＵＤ投影の強度が観察者にとって低減されないようになっている。これらは、本発明の主要な利点である。
【００７６】
図２は、図１の複合ペイン１０の平面図を描写している。上方端部Ｏ、下方端部Ｕ、及びＨＵＤ領域Ｂを見ることができる。
【００７７】
図３は、本発明に従って実施される複合ペイン１０の第１の実施態様を描写している。外側ペイン１が、設置位置において外部環境に面する外部側表面Ｉ，及び、設置位置において内部に面する内部側表面ＩＩを有する。同様に、内側ペイン２が、設置位置において外部環境に面する外部側表面ＩＩＩ、及び、設置位置において内部に面する内部側表面ＩＶを有する。外側ペイン１及び内側ペイン２は、例えば、ソーダ石灰ガラスでできている。外側ペイン１は、例えば、２．１ｍｍの厚みを有する；内側ペイン２は、１．６ｍｍの厚みを有する。中間層３は、例えば、ＰＶＢフィルムでできており、０．７６ｍｍの厚みを有する。
【００７８】
内側ペイン２の外部側表面ＩＩＩが、本発明に係る電気伝導性コーティング２０を備えている。
【００７９】
投影器４のｓ偏光成分は、それぞれ、内側ペイン１の内部側表面において部分的に反射され（主反射）、かつ、外側ペイン１の外部側表面において部分的に反射される（二次反射）。ペイン１、２と中間層３との間の境界表面では屈折率の大きな変化は起こらないため、これらは、いかなる反射表面も形成しない。平行な表面を有する従来技術の複合ペイン１０では、２つの反射が、互いに対してオフセットしている２つのＨＵＤ投影（主画像及びいわゆる「ゴースト画像」）をもたらし、これは、観察者５にとって煩わしい。これを回避するために、又はこれを少なくとも低減するために、中間層３が、くさび形状である。中間層３の厚みが、下方端部Ｕから上方端部Ｏへのその垂直経路にわたって、連続的に増加している。単純性のために、図面では、厚みにおける増加を、線形的に描写しているが、これは、比較的複雑なプロファイルを有していてもよい。くさび角度αは、中間層の２つの面の間の角度を記述しており、例えば、約０．５ｍｒａｄである。２つの反射表面Ｉ、ＩＶの角度の付いた配置をもたらすくさび状の中間層に起因して、主画像及びゴースト画像が、理想的には正確に重なり合い、又は、少なくとも、それらの間の距離が低減される。
【００８０】
図４は、本発明に従って実施される複合ペイン１０のさらなる実施態様を描写している。外側ペイン１及び内側ペイン２は、図３におけるものと同じように設計されている。ここでも、電気伝導性コーティング２０が、内側ペイン２の外部側表面ＩＩＩに適用されている。ここでは、中間層３は、くさび形状ではなく、一定の厚み、例えば０．７６ｍｍの一定の厚みを有する、標準的なフィルムの形状を有している。ここでは、ゴースト画像の問題が、異なる方法で解決される：内側ペイン２の内部側表面ＩＶが、反射防止コーティング３０を備えている。これは、表面ＩＶにおける反射を抑制し、それにより、ｓ偏光成分が、外側ペインの外部側表面Ｉにおいてのみ反射するようになる。本発明に係る反射防止コーティング３０は、ｐ偏光に関する複合ペイン１０の反射スペクトルを実質的に変更しないように調節され、それにより、ｐ偏光に関する本発明に係る特性がなおも保持されるようになっている。
【００８１】
両方の実施態様において、偏光選択性サングラスを有していない観察者５は、外部側表面Ｉにおいて生成する（ｓ偏光の）ＨＵＤ投影に加えて、電気伝導性コーティング２０によって生成される（ｐ偏光の）いわゆる「層ゴースト画像」を、知覚するであろう。２つの反射平面の間の距離は、慣用的なペインの厚みの場合には十分に小さいため、層ゴースト画像は、許容範囲内となる。電気伝導性コーティング２０が外側ペインの内部側表面ＩＩに適用されており、かつ／又は、比較的薄い外側ペイン１及び／又は比較的薄い中間層３が用いられる場合には、２つの投影の間の距離は、さらに低減されうる。
【００８２】
図５は、本発明に係る電気伝導性コーティング２０の層厚を描写している。コーティング２０は、４つの電気伝導層２１（２１．１、２１．２、２１．３、２１．４）を有する。それぞれの電気伝導層２１は、それぞれ、合計で５つの反射防止層２２（２２．１、２２．２、２２．３、２２．４、２２．５）のうちの２つの間に配置されている。２つの電気伝導層２１の間に配置されている反射防止層２２．２、２２．３、２２．４は、それぞれ、誘電体層２２ａ（２２ａ．２、２２ａ．３、２２ａ．４）、及び、光学的高屈折層２２ｂ（２２ｂ．２、２２ｂ．３、２２ｂ．４）に、さらに分割されている。コーティング２０は、また、３つの平滑層２３（２３．２、２３．３、２３．４）、４つの第１適合層２４（２４．１、２４．２、２４．３、２４．４）、４つの第２適合層２５（２５．２、２５．３、２５．４、２５．５）、及び、４つのブロッキング層２６（２６．１、２６．２、２６．３、２６．４）も有する。
【００８３】
図面において、層配列を概略的に見ることができる。また、内側ペイン２の外部側表面ＩＩＩの上のコーティング２０を有する複合ペイン１０の層配列が、個々の層の材料及び層厚と一緒に、表１（例）に示されている。表１は、現在すでに用いられているものとしての、電気伝導性コーティングの層配列（比較例）も、描写している。本発明に係るコーティング２０の反射特性が、個々の層の層厚の適切な最適化によって達成されたことが理解される。
【００８４】
図６は、２つの高屈折層３１（３１．１、３１．２）及び２つの低屈折層３２（３２．１、３２．２）を有する、本発明に関する反射防止コーティング３０の層配列を描写している。図面において、層配列を概略的に見ることができる。内側ペイン２の外部側表面ＩＩＩの上の電気伝導性コーティング２０、及び、内側ペイン２の内部側表面ＩＶの上の反射防止コーティング３０を有している複合ペイン１０の層配列が、表２においても、個々の層の材料及び層厚と一緒に、示されている。
【００８５】
【表１】
2021508378.tif 000003
【００８６】
【表２】
2021508378.tif 000004
【００８７】
図７は、比較例に係る従来技術の伝導性コーティング２０を有する複合ペイン１０の反射スペクトル、及び、実施例に従った本発明に係る伝導性コーティング２０（表１参照）を有する複合ペイン１０の反射スペクトルを、ｐ偏光（パートａ）及びｓ偏光（パートｂ）に関して、描写している。スペクトルは、６５°の入射角度で内部側において計測され、そのようにして、ＨＵＤ投影器に関する反射挙動をシミュレートした。
【００８８】
現在用いられているものとしての比較例に係る従来技術コーティングは、４００ｎｍ〜６５０ｎｍのスペクトル範囲において、ｐ偏光に関して、４７６ｎｍ及び６００ｎｍにおける２つの局所的な反射極大を有する。４００ｎｍ〜６５０ｎｍのスペクトル範囲において、ｐ偏光に関して、局所的な反射極大の反射率と、極小で起こる反射率との間の差異は、実質的に１０％超である。
【００８９】
これに対して、実施例に従った本発明に係るコーティングは、４００ｎｍ〜６５０ｎｍのスペクトル範囲において、ｐ偏光に関して、単一の局所的な反射極大のみを有する。局所的な反射極大は、５１６ｎｍ、すなわち、人間の目が特に感受性である緑色スペクトル範囲に、位置している。４００ｎｍ〜６５０ｎｍのスペクトル範囲におけるｐ偏光に関する、局所的な反射極大の反射率と、極小で起こる反射率との間の差異は、ほんの６．７％である。
【００９０】
ｓ偏光に関しても、本発明に係るコーティングの反射スペクトルは、４５０ｎｍ〜６００ｎｍのスペクトル範囲において、従来技術のコーティングの反射スペクトルよりも、実質的に平坦である。極大で起こる反射率と平均との間の差異は、０．４％であり、極小で起こる反射率と平均との間の差異は、０．３％である。
【００９１】
実施例の本発明に係るコーティングの実施態様によって、ニュートラルな色を有するＨＵＤ画像が生成される。さらに、色の変化又は他の望ましくない影響を伴うことなく、Ｓ偏光とｐ偏光との相対的な割合を、自由に選択することができる。このようにして、光成分を、コーティングに起因して当業者に制約を課すことなく、個々の場合の要件に応じて、調節することができる。偏光選択性サングラスを有している運転者及びそれを有していない運転者に関してＨＵＤ投影の最適な強度が達成されるように、比を設定することができる。
【００９２】
表３は、一方では、従来技術の複合ペイン（比較例について表１において特定されるコーティング２０、反射防止層３０なし）についての、他方では、本発明に係る複合ペイン（表２で特定される反射防止コーティングとともに構成されている、実施例について表１で特定されるコーティング２０）についての、投影器光の種々の偏光割合での合計反射率を示している。（偏光選択性サングラスを着けている観察者によって知覚される）ｐ偏光に関する反射率が、いずれの偏光割合においても、実質的に増加していることが、明らかにわかる。（偏光選択性サングラスを着けていない観察者によって知覚される）ｓ偏光及びｐ偏光に関する反射率も、ｐ偏光割合５０％から出発して、増加している。全体として、比較的高い強度を有する画像が、もたらされる。
【００９３】
【表３】
2021508378.tif 000005
【符号の説明】
【００９４】
（１０）  複合ペイン
（１）  外側ペイン
（２）  内側ペイン
（３）熱可塑性中間層
（４）  投影器
（５）  観察者／乗り物運転者
（２０）  電気伝導性コーティング
（２１）  電気伝導層
（２１．１）、（２１．２）、（２１．３）、（２１．４）  １．、２．、３．、４．電気伝導層
（２２）  反射防止層
（２２．１）、（２２．２）、（２２．３）、（２２．４）、（２２．５）  １．、２．、３．、４．、５．反射防止層
（２２ａ）反射防止層４の誘電体層
（２２ａ．２）、（２２ａ．３）、（２２ａ．４）  １．、２．、３．誘電体層
（２２ｂ）反射防止層４の光学的高屈折層
（２２ｂ．２）、（２２ｂ．３）、（２２ｂ．４）  １．、２．、３．光学的高屈折層
（２３）  平滑層
（２３．２）、（２３．３）、（２３．４）  １．、２．、３．平滑層
（２４）  第１適合層
（２４．１）、（２４．２）、（２４．３）、（２４．４）  １．、２．、３．、４．第１適合層
（２５）  第２適合層
（２５．２）、（２５．３）、（２５．４）、（２５．５）  １．、２．、３．、４．第２適合層
（２６）  ブロッキング層
（２６．１）、（２６．２）、（２６．３）、（２６．４）  １．、２．、３．、４．ブロッキング層
（３０）  反射防止コーティング
（３１）  反射防止コーティング３０の高屈折層
（３１．１）、（３１．２）  １．、２．高屈折層
（３２）  反射防止層３０の低屈折層
（３２．１）、（３２．２）  １．、２．低屈折層
（Ｏ）  複合ペイン１０の上方端部
（Ｕ）  複合ペイン１０の下方端部
（Ｂ）  複合ペイン１０のＨＵＤ領域
（Ｅ）  アイボックス
（Ｉ）  中間層３から離れて面している、外側ペイン１の外部側表面
（ＩＩ）  中間層３に面している、外側ペイン１の内部側表面
（ＩＩＩ）  中間層３に面している、内側ペイン２の外部側表面
（ＩＶ）  中間層３から離れて面している、内側ペイン２の内部側表面
α  くさび角度
【図１】
2021508378.tif 000006
【図２】
2021508378.tif 000007
【図３】
2021508378.tif 000008
【図４】
2021508378.tif 000009
【図５】
2021508378.tif 000010
【図６】
2021508378.tif 000011
【図７】
2021508378.tif 000012
【国際調査報告】
2021508378.tif 000013
2021508378.tif 000014
2021508378.tif 000015
2021508378.tif 000016